(57)【要約】【課題】下階部と上階部とを備える多層階建ての建物において、上階部で発生した床衝撃音が下階部に伝わるのをより確実に抑制することができる建物の階間構造を提供する。【解決手段】建物１０は、一階部分１４と二階部分１５とを備える二階建てのユニット式建物となっている。一階部分１４の天井面材２７と二階部分１５の床面材２８との間には階間空間３３が形成されている。一階部分１４の天井面材２７には、その階間空間３３側に吸音シート５２が貼り付けられている。吸音シート５２は、天井面材２７において隣り合う野縁５１の間ごとに配置されている。【選択図】      図１
2019123988.tif 000002
【特許請求の範囲】
【請求項１】
上下に隣接する下階部及び上階部を備える建物に適用され、
前記下階部の天井面材と前記上階部の床面材との間には階間空間が形成され、
前記天井面材の前記階間空間側には吸音シートが貼り付けられていることを特徴とする建物の階間構造。
【請求項２】
前記下階部及び前記上階部がそれぞれ建物ユニットにより構成されているユニット式の建物に適用され、
前記上階部の前記建物ユニットは、横並びに設けられた複数の床小梁と、それら床小梁によって下方から支持された前記床面材とを含んでおり、
前記下階部の前記建物ユニットは、横並びに設けられた複数の天井小梁と、それら天井小梁によって上方から支持された前記天井面材と、その天井面材の上面に貼り付けられた前記吸音シートとを含んでいることを特徴とする請求項１に記載の建物の階間構造。
【請求項３】
前記下階部の前記建物ユニットには、前記各天井小梁の下方に前記天井小梁に沿って延びる野縁が取り付けられており、
それら野縁の下面に前記天井面材が取り付けられており、
前記吸音シートは、前記天井面材の上面において前記各野縁の間ごとに配置されていることを特徴とする請求項２に記載の建物の階間構造。
【請求項４】
前記上階部の床部には、前記床面材に加えられた軽量床衝撃音を遮る遮音構造と、前記床面材に加えられた重量床衝撃音を低減する制振ダンパとが設けられていることを特徴とする請求項１乃至３のいずれか一項に記載の建物の階間構造。
【発明の詳細な説明】
【技術分野】
【０００１】
本発明は、建物の階間構造に関する。
【背景技術】
【０００２】
下階部と上階部とを有する多層階建てのユニット式建物では、下階部の天井面材と上階部の床面材との間に階間空間が形成されている。かかる建物では、上階部の床部に物が落下する等して衝撃音（床衝撃音）が発生した場合に、その床衝撃音が階間空間を介して下階部に伝わることが想定される。
【０００３】
そこで、そのような下階部への音の伝播に対する対策として、特許文献１には、上階部の床部に遮音部材や制振ダンパが設けられた構成が開示されている。かかる構成によれば、上階部の床上で発生した衝撃音を遮音部材で遮ったり制振ダンパで低減したりすることができるため、結果として床衝撃音が下階部へ伝わるのを抑制することが可能となっている。
【先行技術文献】
【特許文献】
【０００４】
【特許文献１】特開２０１４−２３１７１６号公報
【発明の概要】
【発明が解決しようとする課題】
【０００５】
上述した引用文献１の構成では、上階部の床で発生した床衝撃音が、上階部の床部に設けられた遮音部材等により十分に低減できなかった場合、低減しきれなかった音が下階部へ伝わるおそれがある。このため、上記特許文献１の構成は、下階部への音の伝わりを抑制する上で未だ改善の余地があると考えられる。
【０００６】
本発明は、上記事情に鑑みてなされたものであり、下階部と上階部とを備える多層階建ての建物において、上階部で発生した床衝撃音が下階部に伝わるのをより確実に抑制することができる建物の階間構造を提供することを主たる目的とするものである。
【課題を解決するための手段】
【０００７】
上記課題を解決すべく、第１の発明の建物の階間構造は、上下に隣接する下階部及び上階部を備える建物に適用され、前記下階部の天井面材と前記上階部の床面材との間には階間空間が形成され、前記天井面材の前記階間空間側には吸音シートが貼り付けられていることを特徴とする。
【０００８】
上述したように、上階部の床部で発生した衝撃音（床衝撃音）が、上階部の床部に設けられた遮音部材等により十分に低減できなかった場合、低減しきれなかった衝撃音が階間空間を介して下階部の側に伝わることが想定される。そこで本発明では、この点に鑑み、下階部の天井面材においてその階間空間側に吸音シートを貼り付けている。この場合、上階部の遮音部材等により低減しきれなかった音が下階部の側に伝播しても、その音を吸音シートにより吸収することができる。また、この場合、天井面材の振動を吸音シートで吸収（抑制）するといったことも可能となるため、下階部（詳しくは下階部における天井面材下の居住空間）への音の出口となる天井面材において好適に音の低減を図ることが可能となる。よって、この場合、上階部で発生した床衝撃音が下階部へ伝わるのをより確実に抑制することが可能となる。
【０００９】
第２の発明の建物の階間構造は、第１の発明において、前記下階部及び前記上階部がそれぞれ建物ユニットにより構成されているユニット式の建物に適用され、前記上階部の前記建物ユニットは、横並びに設けられた複数の床小梁と、それら床小梁によって下方から支持された前記床面材とを含んでおり、前記下階部の前記建物ユニットは、横並びに設けられた複数の天井小梁と、それら天井小梁によって上方から支持された前記天井面材と、その天井面材の上面に貼り付けられた前記吸音シートとを含んでいることを特徴とする。
【００１０】
本発明では、ユニット式建物に上記第１の発明を適用している。ユニット式建物では、建物ユニットが予め製造工場において製造され、その製造された建物ユニットが現場へ搬送され設置されることで建物が構築されるようになっている。製造工場では、天井面材や床面材を含んで建物ユニットが製造される。そのため、本発明では、製造工場において建物ユニットの天井面材にあらかじめ吸音シートを貼り付けることができ、しかもその貼付作業も比較的簡単に行うことができる。この場合、現場において吸音シートの貼付作業を行わなくて済むため、現場での工数増大を招くことなく、上記第１の発明の効果を得ることができる。
【００１１】
第３の発明の建物の階間構造は、第２の発明において、前記下階部の前記建物ユニットには、前記各天井小梁の下方に前記天井小梁に沿って延びる野縁が取り付けられており、それら野縁の下面に前記天井面材が取り付けられており、前記吸音シートは、前記天井面材の上面において前記各野縁の間ごとに配置されていることを特徴とする。
【００１２】
本発明によれば、吸音シートが天井面材の上面において各野縁の間ごとに配置されているため、吸音シートが天井面材と野縁との間に介在することがない。そのため、野縁に対する天井面材の取付状態が不安定になるのを回避しながら、上述した各効果を得ることができる。
【００１３】
第４の発明の建物の階間構造は、第１乃至第３のいずれかの発明において、前記上階部の床部には、前記床面材に加えられた軽量床衝撃音を遮る遮音構造と、前記床面材に加えられた重量床衝撃音を低減する制振ダンパとが設けられていることを特徴とする。
【００１４】
本発明によれば、上階部の床部に遮音構造と制振ダンパとが設けられているため、上階部の床部で軽量床衝撃音及び重量床衝撃音のいずれが発生した場合にも、衝撃音を低減することが可能となる。そして、遮音構造及び制振ダンパによっても低減しきれなかった音については、吸音シートにより吸収することができるため、下階部への音の伝わりをより一層確実に抑制することができる。
【図面の簡単な説明】
【００１５】
【図１】階間部分の構成を示す縦断面図。
【図２】天井面材に対する吸音シートの貼付状態を示す平面図。
【図３】ユニット式建物の概要を示す斜視図。
【図４】建物ユニットの構成を示す斜視図。
【発明を実施するための形態】
【００１６】
以下、本発明を具体化した一実施形態について図面を参照しつつ説明する。本実施形態では、鉄骨ラーメン構造を有する二階建てのユニット式建物において本発明を具体化している。ユニット式建物は、複数の建物ユニットが互いに組み合わせられることで構築される建物である。図３はユニット式建物の概要を示す斜視図であり、図４は建物ユニットの構成を示す斜視図である。
【００１７】
図３に示すように、住宅等の建物１０は、基礎１１上に設けられた建物本体１２と、その上方に設けられた屋根部１３とを備える。建物本体１２は、下階部としての一階部分１４と、上階部としての二階部分１５とを有する二階建てとなっている、一階部分１４及び二階部分１５はそれぞれ複数の建物ユニット２０により構成されている。これら建物ユニット２０は製造工場においてあらかじめ製造され、その後施工現場にトラック等により運搬されるものとなっている。なお、一階部分１４を構成する建物ユニット２０を下階ユニットということもでき、二階部分１５を構成する建物ユニット２０を上階ユニットということもできる。
【００１８】
図４に示すように、建物ユニット２０は、その四隅に配設される４本の柱２１と、各柱２１の上端部及び下端部をそれぞれ連結する各４本の天井大梁２２及び床大梁２３とを備える。そして、それら柱２１、天井大梁２２及び床大梁２３により直方体状の骨格（フレーム）が形成されている。柱２１は四角筒状の角形鋼よりなる。天井大梁２２及び床大梁２３は断面コ字状の溝形鋼よりなり、その開口部が向き合うようにして設置されている。
【００１９】
建物ユニット２０の長辺部の相対する天井大梁２２の間には、所定間隔（詳しくは等間隔）で複数の天井小梁２５が架け渡されている。同じく建物ユニット２０の長辺部の相対する床大梁２３の間には、所定間隔（詳しくは等間隔）で複数の床小梁２６が架け渡されている。天井小梁２５と床小梁２６とはそれぞれ同間隔でかつ各々上下に対応する位置に設けられている。天井小梁２５はリップ溝形鋼よりなり、床小梁２６は角形鋼よりなる。また、天井小梁２５によって天井面材２７が上方から支持され、床小梁２６によって床面材２８が下方から支持されている。
【００２０】
次に、一階部分１４と二階部分１５との境界部である階間部分の構成について説明する。図１は、階間部分の構成を示す縦断面図である。
【００２１】
図１に示すように、一階部分１４には、その天井面材２７の下方に一階空間３１が形成されている。二階部分１５には、その床面材２８の上方に二階空間３２が形成されている。一階空間３１及び二階空間３２はいずれもリビングやダイニング、寝室といった居住空間となっている。
【００２２】
一階部分１４の天井面材２７と二階部分１５の床面材２８との間には階間空間３３が形成されている。階間空間３３は、一階部分１４の天井面材２７により一階空間３１と上下に仕切られ、また、二階部分１５の床面材２８により二階空間３２と上下に仕切られている。
【００２３】
二階部分１５の床部には、複数の床小梁２６が横並びで設けられている。これら床小梁２６の上には床面材２８が設けられている。床面材２８は、各床小梁２６の上面に跨がる状態で設けられた床下地面材３５と、その床下地面材３５の上に重ねられた制振シート３６と、その制振シート３６の上に重ねられた床下地面材３７と、その床下地面材３７の上に重ねられた床仕上面材３８とを有する。
【００２４】
床下地面材３５はパーティクルボードよりなる。制振シート３６は、アスファルト系の制振シートよりなり、例えばアスファルトに酸化鉄粉を含ませてシート状に形成されている。制振シート３６は、遮音性能を有しており、床面材２８上に加えられた床衝撃音が一階部分１４へ伝わるのを遮るものとなっている。そのため、制振シート３６を遮音シートということもできる。制振シート３６は、軽量床衝撃音及び重量床衝撃音のうち、特に軽量床衝撃音を遮る効果が高いものとなっている。
【００２５】
床下地面材３７は合板よりなる。床仕上面材３８は遮音性能を有する遮音フローリングからなる。床仕上面材３８は、制振シート３６と同様、床面材２８上に加えられた床衝撃音が一階部分１４へ伝わるのを遮るものとなっており、特に軽量床衝撃音を遮る効果が高いものとなっている。なお、この場合、制振シート３６及び床仕上面材３８により軽量床衝撃音を遮る遮音構造が構成されている。
【００２６】
ちなみに、重量床衝撃音は、子供が二階部分１５の床面材２８上で飛び跳ねたり走り回ったりした場合などに生じる比較的低い音であり、軽量床衝撃音は、スプーンなどの物品を床面材２８上に落とした場合などに生じる比較的高い音である。
【００２７】
床小梁２６には、その床小梁２６に加えられた振動エネルギを吸収する制振ダンパ４１が取り付けられている。制振ダンパ４１は、二階部分１５の床面材２８で発生した床衝撃音を低減するものである。制振ダンパ４１は、軽量床衝撃音及び重量床衝撃音のうち、特に重量床衝撃音を低減する効果が高いものとなっている。制振ダンパ４１は、各床小梁２６にそれぞれ取り付けられ、例えば各床小梁２６の長手方向の中央位置に取り付けられている。
【００２８】
制振ダンパ４１は、床小梁２６に固定されたブラケット４２と、そのブラケット４２に固定された弾性部材４３と、弾性部材４３を介してブラケット４２に取り付けられた重り部材４４とを有している。ブラケット４２は、床小梁２６の下面に溶接等により固定された金属製の板材であり、床小梁２６の幅方向（短手方向）においてその床小梁２６よりも側方に突出している。弾性部材４３は、弾性変形可能なゴム等の材料により形成されており、重り部材４４は、金属材料により形成されている。重り部材４４は、床小梁２６を挟んで両側方に配置されており、各重り部材４４は、いずれもブラケット４２の上に弾性部材４３を介して載せられている。
【００２９】
制振ダンパ４１においては、床小梁２６に対する重り部材４４の相対的な移動が弾性部材４３により可能になっている。このため、二階部分１５の床面材２８上で生じた音が伝わる等して床小梁２６が揺れた場合に、弾性部材４３が弾性変形することで重り部材４４が床小梁２６とは反対向きに移動する。この場合、床小梁２６に加えられた振動エネルギが制振ダンパ４１に吸収されることで、重量床衝撃音が制振ダンパ４１により低減されるようになっている。
【００３０】
続いて、一階部分１４の天井部の構成について説明する。一階部分１４の天井部には、複数の天井小梁２５が横並びで設けられている。各天井小梁２５の下面にはそれぞれ野縁５１が取り付けられている。これら野縁５１は木製の長尺材よりなり、天井小梁２５の長手方向に沿って延びている。また、図示は省略するが、天井大梁２２のうち、天井小梁２５と平行に配置された短辺側の天井大梁２２にも、その下面に野縁５１が取り付けられ、その野縁５１が天井大梁２２の長手方向に沿って延びている。
【００３１】
各野縁５１の下面には天井面材２７がビス等で取り付けられている。天井面材２７は、２枚重ねの石膏ボードよりなる。天井面材２７の上面には吸音シート５２が貼り付けられている。吸音シート５２は、ブチルゴムとアルミ箔とが積層されてなる複合シートからなる。吸音シート５２は、入力した音エネルギーを熱エネルギーに変換することで吸音するものとなっている。
【００３２】
二階部分１５の床部で発生した床衝撃音が階間空間３３を介して一階部分１４側に伝播した場合には、その音が吸音シート５２により吸収されるようになっている。吸音シート５２は、軽量床衝撃音及び重量床衝撃音のいずれに対しても吸音効果を有しており、特に重量床衝撃音に対する吸音効果が高いものとなっている。また、吸音シート５２は、天井面材２７に生じる振動（音）を低減させる効果も有している。
【００３３】
なお、吸音シート５２としては、必ずしもブチルゴムとアルミ箔との複合シートを用いる必要はなく、その他の吸音シートを用いてもよい。
【００３４】
図２は、天井面材２７に対する吸音シート５２の貼付状態を示す平面図である。図２に示すように、吸音シート５２は、天井面材２７の上面において隣り合う野縁５１の間の領域（以下、野縁間領域５４という）に貼り付けられている。吸音シート５２は、野縁間領域５４においてその全域に亘るよう配置されている。詳しくは、吸音シート５２は、各野縁５１の並ぶ並び方向における長さが隣り合う野縁５１の間の間隔よりも小さく（若干小さく）なっており、野縁間領域５４において当該領域５４を挟んだ両側の各野縁５１からそれぞれ離間した状態で配置されている。このため、吸音シート５２と野縁５１との間には若干の隙間が存在している。但し、吸音シート５２について野縁５１の並び方向の長さを隣り合う野縁５１の間の間隔と同じにし、吸音シート５２と野縁５１との間に隙間が生じないようにしてもよい。
【００３５】
吸音シート５２は、野縁間領域５４において野縁５１の長手方向全域に亘るよう配置されている。本実施形態では、吸音シート５２が野縁５１の長手方向に複数（具体的には２つ）に分割され、それら分割された複数の吸音シート５２が野縁５１の長手方向全域に亘るよう配置されている。なお、吸音シート５２は、必ずしも野縁５１の長手方向に分割する必要はなく、一の吸音シート５２を野縁５１の長手方向全域に亘って配置してもよい。
【００３６】
吸音シート５２が貼り付けられた天井面材２７の上方にはグラスウール５６が設けられている。グラスウール５６は、階間空間３３において天井面材２７全域に亘るよう配設されている。グラスウール５６は、各床小梁２６の上に跨がる状態で配置されている。グラスウール５６は、各床小梁２６の間にそれぞれ入り込んでおり、その入り込んだ部分がそれぞれ吸音シート５２の上に重ねて配置されている。グラスウール５６は、吸音性能を有しており、二階部分１５の床部で発生した床衝撃音を階間空間３３にて吸収するものとなっている。また、グラスウール５６は、特に軽量床衝撃音に対する吸音効果が高いものとなっている。
【００３７】
次に、上述した建物１０を構築する際の作業の流れについて説明する。
【００３８】
まず製造工場において、建物１０を構成する各建物ユニット２０を製造する。建物ユニット２０の製造に際しては、建物ユニット２０の天井部に天井面材２７を取り付け、床部に床面材２８を取り付ける。
【００３９】
その後、一階部分１４の建物ユニット２０については、天井面材２７の上面に吸音シート５２を貼り付ける。そして、吸音シート５２を貼り付けた天井面材２７の上方にグラスウール５６を敷き詰める。また、二階部分１５の建物ユニット２０については、各床小梁２６に制振ダンパ４１を取り付ける。
【００４０】
各建物ユニット２０の製造後、それら建物ユニット２０をトラックにより施工現場へ搬送する。施工現場では、各建物ユニット２０を所定位置に設置するとともに互いに連結する。これにより、建物１０が構築される。
【００４１】
このように、本ユニット式建物１０では、一階部分１４と二階部分１５との間の階間部分における音の伝達を抑制するための構成（詳しくは、床面材２８（３６，３８）の遮音構造、制振ダンパ４１、吸音シート５２、グラスウール５６）がすべて製造工場にて建物ユニット２０に組み付けられるようになっている。
【００４２】
以上、詳述した本実施形態の構成によれば、以下の優れた効果が得られる。
【００４３】
二階部分１５の床部で発生した床衝撃音が、二階部分１５の床部に設けられた遮音構造（制振シート３６や床仕上面材３８）や制振ダンパ４１により十分に低減できなかった場合、低減しきれなかった衝撃音が階間空間３３を介して一階部分１４の側に伝わることが想定される。その点、上記の実施形態では、一階部分１４の天井面材２７の上（階間空間３３側）に吸音シート５２が貼り付けられているため、低減しきれかった音が一階部分１４の側に伝播しても、その音を吸音シート５２により吸収することができる。また、この場合、天井面材２７の振動を吸音シート５２で吸収（抑制）するといったことも可能となるため、一階空間３１への音の出口となる天井面材２７において好適に音の低減を図ることが可能となる。よって、この場合、二階部分１５で発生した床衝撃音が一階部分１４へ伝わるのをより確実に抑制することが可能となる。
【００４４】
ユニット式建物では、製造工場において、天井面材２７や床面材２８を含んで建物ユニット２０が製造される。そのため、製造工場において建物ユニット２０の天井面材２７にあらかじめ吸音シート５２を貼り付けることができ、その貼付作業も比較的簡単に行うことができる。このような構成では、現場において吸音シート５２の貼付作業を行わなくて済むため、現場での工数増大を招くことなく、上述した効果を得ることが可能となる。
【００４５】
吸音シート５２が天井面材２７の上面において各野縁５１の間ごとに配置されているため、吸音シート５２が天井面材２７と野縁５１との間に介在することがない。そのため、野縁５１に対する天井面材２７の取付状態が不安定になるのを回避しながら、上述した各効果を得ることができる。
【００４６】
本発明は上記実施形態に限らず、例えば次のように実施されてもよい。
【００４７】
・上記実施形態では、二階部分１５の床部に遮音構造（詳しくは、制振シート３６や遮音フローリングよりなる床仕上面材３８）が設けられているとともに制振ダンパ４１が設けられていることで、二階部分１５の床部にて床衝撃音の低減が図られていたが、二階部分１５の床側の構成は必ずしもかかる構成とする必要はない。例えば、二階部分１５の床部に制振ダンパ４１を設けることに代え、他の制振構造を設けてもよい。また、制振ダンパ４１等の制振構造を設けず、遮音構造だけ設けてもよい。
【００４８】
・上記実施形態では、吸音シート５２を天井面材２７の上面において隣り合う野縁５１の間の領域（野縁間領域５４）に貼り付けたが、吸音シート５２の天井面材２７への貼付態様（貼付範囲）は任意であってよい。例えば、吸音シート５２を天井面材２７の上面全域に貼り付けてもよい。但し、その場合、吸音シート５２が天井面材２７と野縁５１との間に介在されることになり、野縁５１に対する天井面材２７の取付状態が不安定になるおそれがある。そのため、その点を鑑みると、上記実施形態のように、吸音シート５２を各野縁５１の間の領域にのみ配置するのが望ましい。
【００４９】
・上記実施形態では、ユニット式建物に本発明を適用したが、鉄骨軸組工法により構築される建物等、他の構造の建物にも本発明を適用することができる。
【００５０】
上記実施形態では、二階建ての建物に本発明を適用したが、例えば三階建て以上の建物に本発明を適用してもよい。例えば三階建ての建物において、二階部分と三階部分との階間部分に本発明を適用してもよい。
【符号の説明】
【００５１】
１０…建物、１４…下階部としての一階部分、１５…上階部としての二階部分、２０…建物ユニット、２５…天井小梁、２６…床小梁、２７…天井面材、２８…床面材、３３…階間空間、４１…制振ダンパ、５１…野縁、５２…吸音シート。
【図１】
2019123988.tif 000003
【図２】
2019123988.tif 000004
【図３】
2019123988.tif 000005
【図４】
2019123988.tif 000006